(57)【要約】【課題】仮設土留工事に要する施工時間を短縮し、さらに、仮設土留の回収作業の時間も短縮できる。また、回収した棒材は繰り返し使用できる。【解決手段】所定の位置に支持杭Ａの棒材１を打ち込み、保持溝を構成する二枚の対向する保持板２と２との間、保持板２１と２１との間の間隙内に、仮設用の土留板であるベニヤ板Ｐの側端部を落し込むと、この保持板はこのベニヤ板の側端部を保持して、立設させることができる。そのため、土留工事に要する施工時間が短縮できる。また、支持杭Ａは回収して繰り返し使用できる。【選択図】      図４
2004204625.tif 000002
【特許請求の範囲】
【請求項１】
棒材と
上記棒材の上部の少なくとも１つの側面に設けてある保持溝とからなり、
上記保持溝は、仮設土留板の側端部を保持しこの土留板を立設させることができる
ことを特徴とする仮設土留用の支持杭。
【請求項２】
棒材と
上記棒材の上部に下向きに設けてある係止部とからなり、
上記係止部は土留板に係止しこの土留板を押圧可能である
ことを特徴とする仮設土留用の補強用支持杭。
【発明の詳細な説明】
【０００１】
【発明の属する技術分野】
本発明は仮設土留工事の土留板を保持し、立設するために用いる支持杭及び補強用支持杭に関するものである。
【０００２】
【従来の技術】
一般的な個人住宅及び集合住宅の建築工事を施工する場合、周知のように先ず建築現場に盛土をして、この盛土の表面を平坦にしてから、基礎工事を行なうものであるが、この盛土の外周縁にはこの盛土が外方に流出しないように、仮設の土留が行なわれている。従来から行なわれているこのような仮設の土留工事は、図１５に示すように、盛土をした建築現場Ｇにおいて、この盛土の外周縁を土留板Ｐで囲撓するものであって、この土留工事は所定の間隔をもって所定位置に、角材１４，１４を打ち込み、この角材間に土留板であるベニヤ板Ｐを掛け渡し、釘でこのベニヤ板をこの角材に打ち付けて土留をするものである。このベニヤ板Ｐは長方形で、その厚み、高さ、横幅が１．２×３０×１８０ｃｍ程度の大きさに規格化されており、また、角材としては２寸角（ほぼ６ｃｍ強）のものが使用されている。そして、建築物の工事が完了した後は、この角材１４は外構工事の前に撤去し、廃棄処分されている。なお、この仮設土留の従来例に関する先行技術文献情報は見当たらなかった。
【０００３】
【発明が解決しようとする課題】
しかし、このように角材１４を打ち込み、この角材にベニヤ板Ｐを釘で連結させる土留作業は手間がかかり、そのためこの土留工事に要する時間が長くなり、さらに、最終的には仮設土留に使用した角材１４やベニヤ板Ｐを廃棄処分することは、木材資源を無駄にするものである。
【０００４】
そこで本発明の目的は、土留作業の時間を短縮でき、木材資源を無駄に廃棄することのない仮設土留に用いる支持杭及び補強用支持杭を提供することにある。
【０００５】
【課題を解決するための手段】
本発明に係る仮設土留用の支持杭の特徴は、棒材とこの棒材の上部の少なくとも１つの側面に設けてある保持溝とからなり、この保持溝は、仮設土留板の側端部を保持し、この土留板を立設させることができるところにある。そして、保持溝は、例えば棒材の上部の両側面に１８０度の開きをもって設けたもの、この上部の片側面のみに設けたもの、この上部の側面に所定の、例えば９０度の角度的変位をもって二側面に設けてあるもの、さらには、上部の所定の角度的変位例えば９０度をもって四側面に放射状に設けたものがある。さらに、この保持溝は土留板を立設するものであるため、二枚の保持板を対向した状態のものであるが、この保持溝の形状は土留板を挿着し易いように、少なくとも、上面と側面は開放しているものである。
【０００６】
また、上記棒材や上記保持溝の素材としては、金属や硬質プラスチックなどから土留板を保持するに十分な強度があれば、適宜選択して使用できる。
【０００７】
また、本発明に係る仮設土留用の補強用支持杭の特徴は、棒材とこの棒材の上部に下向きに設けてある係止部とからなり、この係止部は土留板に係止、特に、土留板の上縁辺に係止し、これを押圧するところにある。これは、前記の仮設土留用の支持杭によって保持され、立設している土留板に適用される。
【０００８】
【発明の実施の形態】
本発明に係る仮設土留用の支持杭の第１の実施の形態について、図１〜４を参照して説明すると、この実施の形態の支持杭Ａの使用状態は、図４に示すように、複数枚の土留板であるベニヤ板Ｐ，Ｐを一直線的に連続させて設置するための杭であって、この支持杭は連続させる複数のベニヤ板の端部を保持して立設させるものである。支持杭Ａは軟鉄を素材としたもので、その構造は図１〜３に示すように、棒材１と、この棒材の上半部の両側面、つまり１８０度の対称位置に、金属、例えば軟鉄製の保持溝を固着するもので、この保持溝を構成する保持板２，２、２１，２１を棒材１の両側面の溶接箇所６…，６１…で溶着してある。そして、軟鉄製の棒材１及び保持板２，２、２１，２１の表面は溶融亜鉛メッキで表面処理してある。
【０００９】
棒材１の形状は、その下端部が尖鋭状になっているもので、その大きさは径がほぼ１９ｍｍで、長さがほぼ６００ｍｍのものである。また、保持溝を構成する保持板２，２、２１，２１は、３．２ｍｍ厚の熱延鋼板を水平断面がコ字状に屈成してなるもので、そのため、対向する二枚の保持板２，２、２１，２１からなる保持溝を構成し、各保持溝は、棒材１に溶着している側面を除く３端面、即ち、上下の両端面、側端面の３方は開放されている。保持板２，２、２１，２１のそれぞれの高さは３００ｍｍ、つまり棒材１の半分の長さ、横幅は５０ｍｍでベニヤ板Ｐの端部を確実且つ安全に保持するに十分な幅を有し、対向する二枚の保持板間の間隙の寸法は１２．６ｍｍ程度で、ベニヤ板Ｐの端部の厚みが容易に差込み可能な間隙が形成してある。
【００１０】
土留板であるベニヤ板Ｐの形状や大きさは、前記した従来例のものと同じく、厚み、高さ、横幅が１．２×３０×１８０ｃｍ程度の長方形のものである。
【００１１】
そこで、図４に示すように、盛土した施工現場Ｇにおいて、この盛土した外周縁に沿って、所定の間隔、例えば１８０ｃｍ強の間隔で複数の棒材１を打ち込み、保持溝を構成する二枚の対向する保持板２，２との間、及び保持板２１，２１との間の間隙内にそれぞれベニヤ板Ｐの各側端部を落し込み、それによりこの保持溝はこのベニヤ板の両側端部を挟持した状態で保持し、立設させることができる。
【００１２】
次に、本発明の第２の実施の形態について、図５〜８を参照して説明する。この実施の形態の支持杭Ｂの使用状態は、図８に示すように、土留の両端に位置する仮設土留板のベニヤ板Ｐの端部を挟持し保持するためのもので、この支持杭の構成は図５〜７に示すように、棒材１１と、この棒材の上半部の片側端面に、保持溝を構成する二枚の対抗する保持板３，３を溶接箇所７…で溶着してなるものである。この棒材１１や保持板３，３の素材は、前記第１の実施の形態の棒材１や保持板２，２（又は２１，２１）と全く同じもので、さらに、棒材１１び保持板３，３は溶融亜鉛メッキで表面処理してある。
【００１３】
そこで、図８に示すように、仮設の土留施工現場Ｇにおいて土留の両端のベニヤ板Ｐの端部が位置するところに棒材１１を打ち込む。そこで、二枚の保持板３，３との間の間隙内に、端部に位置するベニヤ板Ｐの一端部を差し込むことにより、この保持板はこのベニヤ板の側端部を保持して、前記した第１の実施の形態における支持杭Ａと協働することにより、一枚または複数枚のベニヤ板を直線状に立設させることができる。
【００１４】
次に、第３の実施の形態について、図９〜１２を参照して説明する。この実施の形態の支持杭Ｃの使用状態は、図１２に示すように、盛土した施工現場Ｇにおいて直角に屈曲する二枚の仮設土留板を保持立設するものである。先ず、この支持杭Ｃを土留のコーナー部に打ち込み、このコーナー部に直角に突合して位置するに二枚のベニヤ板Ｐ，Ｐの各端部を挟持した状態で保持する。この支持杭Ｃの構成は、図９〜１１に示すように、棒材１２とこの棒材の上半部に、複数の金属製の保持溝を９０度をもって溶接箇所８…，８１…（図１２）で溶着するものである。具体的には、この保持溝のそれぞれを構成する二枚の対向する保持板４，４、４１，４１を所定の角度的変位、例えば図１１に示すように、９０度をもって放射状に溶接箇所８…，８１…で溶着したものである。なお、棒材１２や二枚の保持板４，４、４１，４１は、前記した第１、第２の実施の形態に示した保持溝（板）２，２１，３と、素材、形状及び大きさは全く同じものである。棒材１２及び保持板４，４、４１，４１の表面は溶融亜鉛メッキで表面処理してある。
【００１５】
そこで、図１２に示すように、先ず盛土した施工現場Ｇにおいて棒材１２を打ち込み、対向する保持板４，４との間、及び保持板４１，４１との間の間隙内に仮設用土留板である２枚のベニヤ板Ｐ，Ｐのそれぞれの側端部を差し込むことにより、このベニヤ板の側端部を保持して、二枚のベニヤ板を直角状態で立設させ、コーナー部を構成することができる。勿論、この保持溝は棒材１２の三方向または四方向に放射状に設けてもよい。
【００１６】
最後に、本発明に係る仮設土留用の補強用支持杭Ｄについて、図１３、図１４を参照して説明する。この仮設土留用の補強用支持杭Ｄは、ベニヤ板Ｐの設置状態をより強固にするためのものであって、金属製の棒材１３の上端部に金属製の係止部５を下向きに溶着してある。この棒材１３の素材、形状及び大きさは、前記実施の形態における棒材１，１１，１２と実質的に同一のものである。また、係止部５の素材は軟鉄であり、その形状はベニヤ板Ｐの上縁部に嵌合し、これを押下できるものである。棒材１３及び係止部５は溶融亜鉛メッキで表面処理してある。
【００１７】
そして、係止部５は、仮設土留板であるベニヤ板Ｐの上端部に係止し、このベニヤ板が上方に浮上移動しないように、これを押圧することができる。
【００１８】
そこで、次に本発明による仮設土留の工事作業について説明すると、設置すべき土留板のベニヤ板Ｐの一端部が位置する個所には、図５〜７に示した支持杭Ｂの棒材１１を打ち込む。また、複数のベニヤ板Ｐを直線的に連結させる継ぎ箇所には、図１〜３に示す支持杭Ａの棒材１を打ち込む。更に、コーナー部には、図９〜１１に示す支持杭Ｃの棒材１２を打ち込む。そこで、各棒材１，１１，１２間において、それぞれの保持溝を構成している二枚の保持板（支持杭Ａの保持板２，２、２１，２１、支持杭Ｂの保持板３，３、支持杭Ｃの保持板４，４、４１，４１）の間隙内に、ベニヤ板Ｐの端部を上方から落し込む。さらに、各ベニヤ板Ｐの中間部の上辺部には、図１３、１４に示す補強用支持杭Ｄの棒材１３の係止部５を係止させた状態で、この棒材を打ち込む。
【００１９】
以上の作業により仮設土留工事は完了する。そして、その後、建築物が完了した後で、支持杭Ａ，Ｂ，Ｃ及び補強用支持杭Ｄはすべて引き抜き回収する。さらに、この回収された支持杭は、他の仮設土留工事に繰り返し使用する。また、本発明に係る支持杭、補強用支持杭は建築用ばかりでなく土木用としても使用できる
【００２０】
【発明の効果】
本発明によると、棒材は、従来の角材と比較して土中に打ち込み易く、土留板を保持溝に差し込むだけでよいので、従来のようなベニヤ板と角材とを釘で止める作業が不要になり、そのため、仮設土留工事に要する施工時間が短縮し、また、仮設土留に使用した支持杭の回収作業時間も短縮できる。また、回収した支持棒材は繰り返し使用できるので、従来のように角材を廃棄処分するような木材資源の消費を少なくすることができる。
【図面の簡単な説明】
【図１】本発明の第１の実施の形態の正面図である。
【図２】図１の右側面図である。
【図３】図１の平面図である。
【図４】本発明の第１の実施の形態を示す斜視図である。
【図５】本発明の第２の実施の形態の正面図である。
【図６】図５の右側面図である。
【図７】図５の平面図である。
【図８】本発明の第２の実施の形態を示す斜視図である。
【図９】本発明の第３の実施の形態の正面図である。
【図１０】図９の右側面図である。
【図１１】図９の平面図である。
【図１２】本発明の第３の実施の形態を示す斜視図である。
【図１３】本発明の第４の実施の形態の正面図である。
【図１４】図１３の右側面図である。
【図１５】従来例を示す斜視図である。
【符号の説明】
Ａ        支持杭
１        棒材
２        保持溝（保持板）
２１      保持溝（保持板）
Ｂ        支持杭
１１      棒材
３        保持溝（保持板）
Ｃ        支持杭
１２      棒材
４        保持溝（保持板）
４１      保持溝（保持板）
Ｄ        補強用支持杭
１３      棒材
５        係止部
【図１】
2004204625.tif 000003
【図２】
2004204625.tif 000004
【図３】
2004204625.tif 000005
【図４】
2004204625.tif 000006
【図５】
2004204625.tif 000007
【図６】
2004204625.tif 000008
【図７】
2004204625.tif 000009
【図８】
2004204625.tif 000010
【図９】
2004204625.tif 000011
【図１０】
2004204625.tif 000012
【図１１】
2004204625.tif 000013
【図１２】
2004204625.tif 000014
【図１３】
2004204625.tif 000015
【図１４】
2004204625.tif 000016
【図１５】
2004204625.tif 000017